(57)【特許請求の範囲】
【請求項１】
筐体と、該筐体に対してスライド可能に取付けられるカバーと、を備えたカバー付筐体であって、
上記筐体と上記カバーとの間に配置される柔軟性部材を備え、
上記柔軟性部材は、少なくとも上記筐体に対する上記カバーのスライド方向に垂直な方向に対する上記カバーの一方の端部の近傍から他方の端部の近傍まで延在して配置されており、
少なくとも上記柔軟性部材の上記スライド方向に対する一方の端部に、異物を斜め外側に排出する凹部が形成されており、上記凹部の底の深さは、上記柔軟性部材の上記スライド方向に対する一方の端部よりも上記スライド方向において深いことを特徴とするカバー付筐体。
【請求項２】
上記柔軟性部材が、上記カバーの上記スライド方向に対する少なくとも一方の端部の近傍に配置されていることを特徴とする請求項１に記載のカバー付筐体。
【請求項３】
当接する異物に対して作用する力の成分であって、上記スライド方向に対して垂直な方向の力の成分、が生じるように形成された作用面が、少なくとも上記柔軟性部材の上記スライド方向に対する一方の端部に形成されており、
上記柔軟性部材の上記作用面が、平面であることを特徴とする請求項１または２に記載のカバー付筐体。
【請求項４】
当接する異物に対して作用する力の成分であって、上記スライド方向に対して垂直な方向の力の成分、が生じるように形成された作用面が、少なくとも上記柔軟性部材の上記スライド方向に対する一方の端部に形成されており、
上記柔軟性部材は、上記作用面の上記筐体の表面に平行な平面で切った断面が凸状であることを特徴とする請求項１または２に記載のカバー付筐体。
【請求項５】
当接する異物に対して作用する力の成分であって、上記スライド方向に対して垂直な方向の力の成分、が生じるように形成された作用面が、少なくとも上記柔軟性部材の上記スライド方向に対する一方の端部に形成されており、
上記作用面が、上記柔軟性部材の上記スライド方向に対する両方の端部に形成されていることを特徴とする請求項１または２に記載のカバー付筐体。
【請求項６】
上記柔軟性部材が、上記カバーの四方の辺に沿って配置されていることを特徴とする請求項１から５までの何れか１項に記載のカバー付筐体。
【請求項７】
上記作用面は、上記筐体に搭載される撮像用受光部に向けて突出していることを特徴とする請求項３に記載のカバー付筐体。
【請求項８】
当接する異物に対して作用する力の成分であって、上記スライド方向に対して垂直な方向の力の成分、が生じるように形成された作用面が、少なくとも上記柔軟性部材の上記スライド方向に対する一方の端部に形成されており、
上記柔軟性部材の上記筐体に接触する面と、上記作用面とのなす角が鋭角であることを特徴とする請求項１または２に記載のカバー付筐体。
【請求項９】
当接する異物に対して作用する力の成分であって、上記スライド方向に対して垂直な方向の力の成分、が生じるように形成された作用面が、少なくとも上記柔軟性部材の上記スライド方向に対する一方の端部に形成されており、
上記柔軟性部材の上記作用面は、上記スライド方向に沿う断面が凹状であることを特徴とする請求項１または２に記載のカバー付筐体。
【請求項１０】
請求項１から９までの何れか１項に記載のカバー付筐体を備えていることを特徴とする電子機器。
【発明の詳細な説明】
【技術分野】
【０００１】
本発明は、筐体と、該筐体に対してスライド可能に取付けられるカバーと、を備えたカバー付筐体、および該カバー付筐体を備えた電子機器に関する。
【背景技術】
【０００２】
従来、携帯電話機は、本来の電話機能に加え、メール等の各種の機能が搭載されている。また、携帯電話機のほとんどの機種には、カメラが搭載されている。このようなカメラが搭載された携帯電話機の場合、カメラが露出していると、カメラレンズに塵や埃などの異物が付着してしまい撮影時にそれを拭わなければならないという問題点がある。
【０００３】
このような問題点を解消すべく、特許文献１には、カメラ使用時にカメラレンズを露出させ、カメラ不使用時にカメラレンズを覆うレンズカバーが設けられたカメラ付携帯電話が開示されている。このカメラ付携帯電話では、筐体の背面にカメラとカメラのレンズを保護するレンズカバーとが設けられている。また、レンズカバーの両端は筐体に設けられたレールに嵌合しており、レンズカバーは、筐体に対してスライドしながら移動するようになっている。
【先行技術文献】
【特許文献】
【０００４】
【特許文献１】特開２００５−３２３０４９号公報（２００５年１１月１７日公開）
【発明の概要】
【発明が解決しようとする課題】
【０００５】
ところで、上記特許文献１に記載の技術では、レンズカバーと筐体との間に空間があり、この空間にレンズカバーの開閉動作に伴って小さな異物(ごみ)が入り込んでしまうという問題点がある。しかしながら、上記特許文献１には、レンズカバーと筐体との間の空間に入り込んだ異物を外部に排出する工夫については何も開示されていない。
【０００６】
本発明は、上記の問題点に鑑みてなされたものであり、その目的は、カバーと筐体との間に入り込んだ異物を外部に排出することができるカバー付筐体などを実現することにある。
【課題を解決するための手段】
【０００７】
上記の課題を解決するために、本発明の一態様に係るカバー付筐体は、筐体と、該筐体に対してスライド可能に取付けられるカバーと、を備えたカバー付筐体であって、上記筐体と上記カバーとの間に配置される柔軟性部材を備え、上記柔軟性部材は、少なくとも上記筐体に対する上記カバーのスライド方向に垂直な方向に対する上記カバーの一方の端部の近傍から他方の端部の近傍まで延在して配置されており、当接する異物に対して作用する力の成分であって、上記スライド方向に対して垂直な方向の力の成分、が生じるように形成された作用面が、少なくとも上記柔軟性部材の上記スライド方向に対する一方の端部に形成されていることを特徴としている。
【発明の効果】
【０００８】
本発明の一態様によれば、カバーと筐体との間に入り込んだ異物を外部に排出することができるという効果を奏する。
【図面の簡単な説明】
【０００９】
【図１】（ａ）は、本発明の実施形態１に係るスマートフォンの背面を示す図であり、（ｂ）は、上記スマートフォンのスライド方向に対する断面図であり、（ｃ）は、上記スマートフォンにおける異物排出の原理を説明するための図である。
【図２】（ａ）は、カバーを閉じた状態における上記スマートフォンの外観を示す図であり、（ｂ）は、カバーを開いた状態における上記スマートフォンの外観を示す図であり、（ｃ）は、上記スマートフォンのカバー部分の分解構造図であり、（ｄ）は、レールユニットの構造を示す図である。
【図３】（ａ）は、本発明の実施形態２に係るスマートフォンの上下方向に対する断面図であり、（ｂ）は、（ａ）に示す破線の丸で囲まれた部分の拡大図であり、（ｃ）および（ｄ）は、その変形例の構造を示す図である。
【図４】（ａ）〜（ｅ）は、それぞれ本発明の実施形態３〜７に係るスマートフォンの背面図である。
【図５】（ａ）は、本発明の実施形態８に係るスマートフォンの背面図であり、（ｂ）は、（ａ）に示す破線の丸で囲まれた部分の拡大図であり、（ｃ）は、その変形例の構造を示す図である。
【発明を実施するための形態】
【００１０】
本発明の実施の形態について図１〜図５に基づいて説明すれば、次の通りである。以下、説明の便宜上、特定の項目にて説明した構成と同一の機能を有する構成については、同一の符号を付記し、その説明を省略する場合がある。
【００１１】
〔実施形態１〕
まず、図１および図２に基づき、本発明の実施形態１に係るスマートフォン（カバー付筐体，電子機器）１０の構成について説明する。図２の（ａ）〜（ｃ）に示すように、スマートフォン１０は、筐体１と、後述するレールユニット４を介して筐体１に対してスライド可能に取付けられるカバー２と、を備えている。図２の（ａ）は、カバー２を閉じた状態におけるスマートフォン１０の外観を示す図である。一方、図２の（ｂ）は、カバー２を開いた状態におけるスマートフォン１０の外観を示す図である。図２の（ｃ）は、本実施形態のスマートフォン１０のカバー部分の分解構造図である。
【００１２】
なお、以下に説明する実施形態では、筐体１と、筐体１に対してスライド可能に取付けられるカバー２と、を備えた電子機器としてスマートフォン１０を例にとって説明する。しかしながら、本発明を適用することが可能な電子機器は、スマートフォンに限定されない。本発明を適用することが可能な電子機器として、例えば、デジタルカメラ、カメラ機能を備えた携帯電話機およびタブレットＰＣ（Personal Computer）などを例示することができる。
【００１３】
次に、図２の（ｂ）に示すように、筐体１の背面には撮像部（撮像用受光部）３（カメラ）が設けられており、カバー２の開閉動作により、撮像部３が露出したり〔図２の（ｂ）〕、隠れたりする〔図２の（ａ）〕ようになっている。カバー２は、カメラ使用時に撮像部３を露出させ、カメラ不使用時に撮像部３を覆うレンズカバーである。
【００１４】
次に、図２の（ｄ）は、スマートフォン１０の構成要素の１つであるレールユニット４の構造を示す図である。レールユニット４は、筐体１に対してカバー２をスライド移動させるためのユニットである。
【００１５】
まず、レールユニット４の固定部４ｂが、筐体１の背面に対してねじ止め、ボンドによる接着、または両面テープによる接着などの手段で固定される。
【００１６】
次に、レールユニット４の可動部４ａに対してカバー２を固定する。レールユニット４およびカバー２の固定方法は多様な方法が考えられるが、筐体１に対してカバー２がスライド可能に取付けられるという要件を満たせば方法は問わない。
【００１７】
レールユニット４は複数部品からなり、少なくとも可動部４ａと固定部４ｂとを備えており、可動部４ａは固定部４ｂに対して図２の（ｄ）の矢印で示す方向へスライド移動が可能となっている。また、レールユニット４内には図示しないコイル状のバネが設置されており、カバー２を閉じた状態と、開いた状態とに保持することが可能となっている。
【００１８】
カバー２の動作としては、初動は手動で行い可動方向へバネ荷重が発生する部分はバネ荷重により移動することになる。なお、バネの詳細形状は本発明の本質には影響しないためここでは説明を省略する。また、上述のバネは必須の構成ではなく、カバー２の開閉を全て手動で行う構成を採用しても良い。
【００１９】
以上のように、レールユニット４の可動部４ａの移動によりカバー２は、筐体１に対してスライドが可能になっている。なお、以上で説明した手法以外にもスライドするカバーを可能とする構造は考えられるが本発明の本質とはあまり関係がないので、ここでは説明を省略する。
【００２０】
次に、図１に基づき、本実施形態のスマートフォン１０の特徴的な構成について説明する。図１の（ａ）は、スマートフォン１０の背面を示す図である。また、図１の（ｂ）は、スマートフォン１０のスライド方向（紙面に対して上下方向）に対する断面図である。
【００２１】
図１の（ａ）および（ｂ）に示すように、筐体１とカバー２との間に、ある程度柔軟性のある部材であるクッション材（柔軟性部材）５を配置する。具体的には、本実施形態のクッション材５は、少なくとも筐体１に対するカバー２のスライド方向に垂直な方向に対するカバー２の一方の端部の近傍から他方の端部の近傍まで延在して配置する。
【００２２】
より具体的には、クッション材５は、スマートフォン１０（電子機器）の外観から容易に見えないまたは見える場合でも外観を損なわない範囲でカバー２のスライド方向に垂直な方向に対する端部まで配置されている。すなわち、（カバー２の横幅）≧（クッション材５の横幅）となっている。このような構成とすることにより、クッション材５の横幅に応じてカバー２から異物を除去できる。
【００２３】
なお、クッション材５のスライド方向に垂直な方向に対する横幅は、異物を除去したい部分に応じて下記のように設定することが考えられる。
（１）（撮像部３のカメラレンズ範囲）≦（クッション材５の横幅）とすることにより、カメラレンズ部（撮像範囲）から異物を除去できる。
（２）（レールユニット４の横幅）≦（クッション材５の横幅）とすることにより、レールユニット４から異物を除去できる。
【００２４】
また、クッション材５の配置についてはカバー２が開いた際に開口（露出）される部分からの異物混入のケースが最も多くなると予想されることからクッション材５の配置に最も良いのはカバー２が開いたときに開口（露出）される部分に一番近い部分となる図１の（ａ）に示すクッション材５の位置となる（クッション材５が、カバー２のスライド方向に対する一方の端部の近傍に配置されている）。但し、カバー２の範囲内であればどの位置にクッション材５を配置しても異物排出の効果を期待することができる。
【００２５】
クッション材５はあらかじめカバー２もしくはレールユニット４の可動部４ａに両面テープなどの手段で取り付けられていてカバー２のスライドに合わせてスライド移動可能となっている。
【００２６】
また、図１の（ｂ）に示すようにクッション材５はカバー２の凹部２ａに貼り付けられている。クッション材５の周囲または周囲の少なくとも一部には、クッション材５の貼り付け面から突出するリブ２ｂが設けられており、カバー２のスライド時にクッション材５がずれたり移動したりしないように考慮されている。
【００２７】
クッション材５は筐体１とカバー２との間に挟まれた状態で配置されなおかつクッション材５の柔軟性により常に押しつぶされた状態を保持することができるようになっている。
【００２８】
図１の（ａ）に示すように、クッション材５には傾斜面（作用面，平面）５ａが設けられている。この傾斜面５ａは、クッション材５の上記スライド方向に対する一方の端部（紙面に対して上側の端部）に設けられている。また、傾斜面５ａは、当接する異物に対して作用する力の成分であって、上記スライド方向に対して垂直な方向（紙面に対して左右方向）の力の成分、が生じるように形成されている。なお、本実施形態のクッション材５の傾斜面５ａは、平面で構成されているが、このような形態に限定されず、後述するように、クッション材５の作用面の筐体１の表面に平行な平面で切った断面が円弧状（凸状）である形態を採用しても良い。
【００２９】
クッション材５は、常に筐体１の表面に接触させているため、表面に傷を付けない材質としてあり、また繰り返しのスライドにより磨り減らない（難い）材質としている。具体的には、クッション材５の材料としては、発泡ウレタンやシリコンゴムなどを挙示することができる。
【００３０】
なお、上記にクッション材５の材料の具体例を示したが、これはクッション材５の材料を限定するものではない。これ以外の材料であっても上述した要件を満たす材質であれば特に制限はない。
【００３１】
次に、図１の（ｃ）に基づき、上述したクッション材５による異物排出効果について説明する。図１の（ｃ）は、スマートフォン１０における異物排出の原理を説明するための図である。
【００３２】
図１の（ｃ）は、カバー２に配置されたクッション材５がカバー２の開閉に連動して紙面に対して上下方向にスライドしている状態を示している。クッション材５のスライド方向に対する一方の端部に形成された傾斜面５ａに異物が当接すると、スライド方向に対して垂直な方向の力の成分が異物に作用する。このため、傾斜面５ａが形成されたクッション材５がカバー２と一緒に上下方向へスライドすることにより、異物は、スライド方向に対して略垂直な方向に傾斜面５ａ上を移動していく。また、クッション材５は、少なくともスライド方向に垂直な方向（左右方向）に対するカバー２の一方の端部の近傍から他方の端部の近傍まで延在して配置されている。このため、異物は、カバー２の開閉動作に伴って、カバー２のスライド方向に垂直な方向に対する一方の端部の近傍および他方の端部の近傍まで移動し、最終的に外部に排出される〔図１の（ｃ）において矢印に示す方向に導かれる〕。よって、スマートフォン１０によれば、カバー２と筐体１との間に入り込んだ異物を外部に排出することができる。
【００３３】
なお、クッション材５の縦幅についてはクッション材５がカバー２のスライドによりずれることや剥がれることを防止するために可能な限り広く取ることが望ましい。
【００３４】
〔実施形態２〕
次に、図３に基づき、本発明の実施形態２に係るスマートフォン１０の構造について説明する。図３の（ａ）は、本実施形態のスマートフォン１０のスライド方向（紙面に対して上下方向）に対する断面図である。また、図３の（ｂ）は、図３の（ａ）に示す破線の丸で囲まれた部分の拡大図である。
【００３５】
図３の（ｂ）に示す形態では、クッション材５の筐体１に接触する面と、作用面とのなす角が鋭角となっている。換言すれば、クッション材５のスライド方向（または上下方向）に沿う断面のカバー２の端部に近い方の端部に、高さが筐体１の側（左側）からカバー２の側（右側）に向けて低くなる傾斜５ｂが存在している。これにより、筐体１の表面に付着した異物が持ち上げられるような形状の傾斜５ｂを形成することで異物を移動させ易くすることができる。
【００３６】
〔変形例〕
図３の（ｃ）および（ｄ）は、それぞれ、図３の（ｂ）に示した構造の変形例である。クッション材５の作用面は、スライド方向に沿う断面が凹状であっても良い。
【００３７】
例えば、図３の（ｃ）に示す形態のように、クッション材５のスライド方向（または上下方向）に沿う断面のカバー２の端部に近い方の端部に、断面Ｖ字状の凹部５ｃを形成しても良い。これにより凹部５ｃを異物が移動することにより異物が筐体１の表面に再付着することを抑制することができる。
【００３８】
また、図３の（ｄ）に示す形態のように、クッション材５のスライド方向に沿う断面のカバー２の端部に近い方の端部に、断面円弧状の凹部５ｄを形成しても良い。これにより凹部５ｄを異物が移動することにより異物が筐体１の表面に再付着することを抑制することができる。
【００３９】
〔実施形態３〕
次に、図４の（ａ）に基づき、本発明の実施形態３に係るスマートフォン１０の構造について説明する。図４の（ａ）は、本実施形態のスマートフォン１０の背面図である。
【００４０】
同図に示すように、本実施形態では、クッション材（柔軟性部材）５１のスライド方向に対する両方の端部（クッション材５１のスライド方向上下）のそれぞれに、傾斜面（作用面，平面）５１ａおよび傾斜面（作用面，平面）５１ｂを設けている。このように、クッション材５１のスライド方向に対する両方の端部に傾斜面５１ａおよび傾斜面５１ｂを設けることで、スライド方向に対するカバー２の両側から混入する異物に対して異物排出効果を得ることができる。
【００４１】
〔実施形態４〕
次に、図４の（ｂ）に基づき、本発明の実施形態４に係るスマートフォン１０の構造について説明する。図４の（ｂ）は、本実施形態のスマートフォン１０の背面図である。クッション材（柔軟性部材）５２は、作用面の筐体１の表面に平行な平面で切った断面が凸状であっても良い。例えば、本実施形態では、クッション材５２の作用面の筐体１の表面に平行な平面で切った断面が円弧状（凸状）となっている。換言すれば、クッション材５２の作用面を筐体１の表面に平行な平面で切った断面が円弧形状の曲面（作用面）５２ａとしている。曲面５２ａは、クッション材５２のスライド方向に対する少なくとも一方の端部（図ではクッション材５１の上側）に形成されている。以上のように、クッション材の作用面は、曲面であっても良い。なお、円弧形状の曲面の頂点は撮像部３と重なる配置としている。
【００４２】
〔実施形態５〕
次に、図４の（ｃ）に基づき、本発明の実施形態５に係るスマートフォン１０の構造について説明する。図４の（ｃ）は、本実施形態のスマートフォン１０の背面図である。
【００４３】
同図に示すように、本実施形態では、傾斜面（作用面）５３ａは、筐体１に搭載される撮像部（撮像用受光部）３に向けて突出している（突出部５３ｂが形成されている）。本実施形態では、撮像部３の部分から優先的に異物を移動させるべく、クッション材（柔軟性部材）５３の傾斜頂点（突出部５３ｂ）を撮像部３の位置に合わせて移動させている。上記構成によれば、撮像部３の近傍以外の他の場所から撮像部３に対して異物が移動してこない。このため、撮像部３の近傍を清浄な状態に保つことができる。
【００４４】
レンズのような特に清浄にしておくべき部材がある場合、そこに上記のような突出部を配置することが好ましい。
【００４５】
なお、本発明は、筐体１に撮像部が設けられていない場合にも適用可能である。その場合、突出部の位置は、混入した異物全体を効率的に排出できる位置が好ましく、例えば、クッション材の中央に設けることが考えられる。
【００４６】
〔実施形態６〕
次に、図４の（ｄ）に基づき、本発明の実施形態６に係るスマートフォン１０の構造について説明する。図４の（ｄ）は、本実施形態のスマートフォン１０の背面図である。
【００４７】
同図に示すように、本実施形態では、クッション材（柔軟性部材）５４を、カバー２の四方の辺に（外周に）沿って配置している。具体的には、クッション材５４は、上部クッション材（柔軟性部材）５４ｕ、下部クッション材（柔軟性部材）５４ｄ、左側クッション材（柔軟性部材）５４ｌ、および右側クッション材（柔軟性部材）５４ｒの４つのパートで構成されている。これにより、筐体１とカバー２との間の空間（特にレールユニット４）への異物侵入の抑制効果を高めることができる。なお、クッション材５４の上部には傾斜面（作用面，平面）５４ａを設けている。搭載する機器の大きさによりクッション材５４の配置や大きさが左右されることになるが同図に示すようにクッション材５４をカバー２の四方の辺に沿って配置することが可能な場合、レールユニット４に対する異物進入抑制効果は高い。
【００４８】
〔実施形態７〕
次に、図４の（ｅ）に基づき、本発明の実施形態７に係るスマートフォン１０の構造について説明する。図４の（ｅ）は、本実施形態のスマートフォン１０の背面図である。
【００４９】
同図に示すように、本実施形態では、筐体１に対するカバー２のスライド方向が上述した形態と異なっているが、カバー２のスライド方向に合わせてクッション材５５の傾斜面（作用面，平面）５５ａの配置を適応させている。具体的には、本実施形態では、カバー２のスライド方向が、筐体１の背面の短手方向に沿っているため、クッション材５５の上記短手方向に沿う方向の端部に傾斜面５５ａを設けている。
【００５０】
〔実施形態８〕
次に、図５に基づき、本発明の実施形態８に係るスマートフォン１０の構造について説明する。図５の（ａ）は、本実施形態のスマートフォン１０の背面図である。また、図５の（ｂ）は、図５の（ａ）に示す破線の丸で囲まれた部分の拡大図である。
【００５１】
クッション材は可能な限りカバー２の端面まで配置することが異物を外部に導く場合には望ましいがクッション材が外から見えてしまう位置まで広げることは見栄えが悪くなり現実的ではない。
【００５２】
このような場合に、図５の（ｂ）の拡大図に示すように、クッション材（柔軟性部材）５６のスライド方向に垂直な方向に対する少なくとも一方の端部を筐体１の表面に平行な平面で切った断面に、Ｖ字状の凹部５６ｃを形成しても良い。凹部５６ｃは傾斜面５６ｂと傾斜面５６ｄとによりＶ字状の凹部を形成している。
【００５３】
まず、傾斜面（作用面，平面）５６ａにより傾斜面５６ｂまで集められた異物は傾斜面５６ｂと傾斜面５６ｄによって生じる凹部５６ｃの底に一旦集められる。その後カバー２の閉じ動作により傾斜面５６ｂに対して直角方向へ異物がはじき出される。
【００５４】
カバー２はコイルバネが搭載されている場合には開閉の際ある程度勢い良くスライドさせることができる。このカバー２の開閉動作により傾斜面５６ｂに対して垂直方向へ（本体外方向へ）異物がはじき飛ばされることになりクッション材５６がカバー２の左右方向の両端ぎりぎりまで配置できない場合であっても異物を本体外に出すことが可能となる。傾斜面５６ｂは異物を本体外に飛び出させやすい角度に、傾斜面５６ｄは異物を一旦留めて集める効果が発生するよう傾斜面５６ｂとは逆の傾斜を持つようにしている。
【００５５】
〔変形例〕
図５の（ｃ）は、図５の（ｂ）に示した構造の変形例である。図５の（ｃ）に示す形態のように、クッション材（柔軟性部材）５７のスライド方向に垂直な方向に対する少なくとも一方の端部を筐体１の表面に平行な平面で切った断面に、円弧状の凹部５７ｂを形成しても良い。これにより、異物は、クッション材５７のスライド方向に垂直な方向に対する少なくとも一方の端部に形成された凹部５７ｂに集まり、集まった異物は、カバー２の開閉動作に伴って外部に弾き出される。このため、クッション材５７をカバー２の端部ぎりぎりまで配置できない場合であっても、異物を外部に排出することが可能になる。
【００５６】
〔まとめ〕
本発明の態様１に係るカバー付筐体（スマートフォン１０）は、筐体（１）と、該筐体に対してスライド可能に取付けられるカバー（２）と、を備えたカバー付筐体であって、上記筐体と上記カバーとの間に配置される柔軟性部材（クッション材５）を備え、上記柔軟性部材は、少なくとも上記筐体に対する上記カバーのスライド方向に垂直な方向に対する上記カバーの一方の端部の近傍から他方の端部の近傍まで延在して配置されており、当接する異物に対して作用する力の成分であって、上記スライド方向に対して垂直な方向の力の成分、が生じるように形成された作用面（傾斜面５ａ）が、少なくとも上記柔軟性部材の上記スライド方向に対する一方の端部に形成されている構成である。
【００５７】
上記構成によれば、柔軟性部材のスライド方向に対する一方の端部に形成された作用面に異物が当接すると、スライド方向に対して垂直な方向の力の成分が異物に作用する。このため、カバーの開閉動作を繰り返すことにより、異物は、スライド方向に対して略垂直な方向に作用面上を移動していく。また、上記構成によれば、柔軟性部材は、少なくともスライド方向に垂直な方向に対するカバーの一方の端部の近傍から他方の端部の近傍まで延在して配置されている。このため、異物は、カバーの開閉動作に伴って、カバーのスライド方向に垂直な方向に対する一方の端部の近傍または他方の端部の近傍まで移動し、最終的に外部に排出される。よって、上記構成によれば、カバーと筐体との間に入り込んだ異物を外部に排出することができる。
【００５８】
本発明の態様２に係るカバー付筐体は、上記態様１において、上記柔軟性部材が、上記カバーの上記スライド方向に対する少なくとも一方の端部の近傍に配置されていることが好ましい。異物混入は、カバーが開いた際に開口（露出）される部分から異物が混入するケースが最も多くなると予想される。よって、柔軟性部材の配置についてはカバーが開いたときに開口（露出）される部分に一番近い部分とすることが好ましい。このため、上記構成では、柔軟性部材を、カバーのスライド方向に対する少なくとも一方の端部の近傍に配置している。
【００５９】
本発明の態様３に係るカバー付筐体は、上記態様１または２において、上記柔軟性部材の上記作用面は、平面であっても良い。
【００６０】
本発明の態様４に係るカバー付筐体は、上記態様１または２において、上記柔軟性部材の上記作用面の上記筐体の表面に平行な平面で切った断面が凸状であっても良い。上記構成によれば、作用面の凸状の断面の頂上から、スライド方向に垂直な方向に対するカバーの一方の端部または他方の端部に向けて異物を移動させることができる。
【００６１】
本発明の態様５に係るカバー付筐体は、上記態様１〜４の何れかにおいて、上記作用面が、上記柔軟性部材の上記スライド方向に対する両方の端部に形成されていても良い。上記構成によれば、柔軟性部材のスライド方向に対する両方の端部に作用面を設けることで、スライド方向に対するカバーの両側から混入する異物に対して異物排出効果を得ることができる。
【００６２】
本発明の態様６に係るカバー付筐体は、上記態様１〜５の何れかにおいて、上記柔軟性部材が、上記カバーの四方の辺に沿って配置されていても良い。上記構成によれば、筐体とカバーとの間の空間への異物侵入の抑制効果を高めることができる。
【００６３】
本発明の態様７に係るカバー付筐体は、上記態様３において、上記作用面は、上記筐体に搭載される撮像用受光部（撮像部３）に向けて突出していることが好ましい。上記構成によれば、撮像部の近傍以外の他の場所から撮像部に対して異物が移動してこない。このため、撮像部の近傍を清浄な状態に保つことができる。
【００６４】
本発明の態様８に係るカバー付筐体は、上記態様１〜７の何れかにおいて、上記柔軟性部材の上記筐体に接触する面と、上記作用面とのなす角が鋭角であっても良い。上記構成によれば、筐体の表面に付着した異物が持ち上げられるように作用面を傾斜させることで異物を移動させ易くすることができる。
【００６５】
本発明の態様９に係るカバー付筐体は、上記態様１〜７の何れかにおいて、上記柔軟性部材の上記作用面は、上記スライド方向に沿う断面が凹状であっても良い。上記構成によれば、凹状の部分を異物が移動することにより異物が筐体の表面に再付着することを抑制することができる。
【００６６】
本発明の態様１０に係るカバー付筐体は、上記態様１〜７の何れかにおいて、上記柔軟性部材の上記作用面は、上記延在方向の両端に凹部（５６ｃ，５７ｂ）が形成されていても良い。上記構成によれば、異物は、柔軟性部材のスライド方向に垂直な方向に対する少なくとも一方の端部に形成された凹部に集まり、集まった異物は、カバーの開閉動作に伴って外部に弾き出される。これにより、柔軟性部材をカバーの端部ぎりぎりまで配置できない場合であっても、異物を外部に排出することが可能になる。
【００６７】
本発明の態様１１に係る電子機器は、上記態様１〜１０の何れかのカバー付筐体を備えていることが好ましい。上記構成によれば、カバーと筐体との間に入り込んだ異物を外部に排出することができる電子機器を実現することができる。
【００６８】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６９】
１    筐体
２    カバー
３    撮像部（撮像用受光部）
５    クッション材（柔軟性部材）
５ａ  傾斜面（作用面，平面）
５ｂ  傾斜
５ｃ  凹部
５ｄ  凹部
１０    スマートフォン（電子機器）
５１    クッション材（柔軟性部材）
５１ａ  傾斜面（作用面，平面）
５１ｂ  傾斜面（作用面，平面）
５２    クッション材（柔軟性部材）
５２ａ  曲面（作用面）
５３    クッション材（柔軟性部材）
５３ａ  傾斜面（作用面，平面）
５４    クッション材（柔軟性部材）
５４ａ  傾斜面（作用面，平面）
５４ｄ  下部クッション材（柔軟性部材）
５４ｌ  左側クッション材（柔軟性部材）
５４ｒ  右側クッション材（柔軟性部材）
５４ｕ  上部クッション材（柔軟性部材）
５５    クッション材（柔軟性部材）
５５ａ  傾斜面（作用面，平面）
５６    クッション材（柔軟性部材）
５６ａ  傾斜面（作用面，平面）
５６ｃ  凹部
５７    クッション材（柔軟性部材）
５７ａ  傾斜面（作用面，平面）
５７ｂ  凹部
【図１】
0006755112.tif 000002
【図２】
0006755112.tif 000003
【図３】
0006755112.tif 000004
【図４】
0006755112.tif 000005
【図５】
0006755112.tif 000006